(57)【要約】【課題】デジタル型の画像表示装置でＰＣからのアナログ画像データを表示する場合、アナログ入力映像信号をデジタル映像信号に変換するＡ／Ｄコンバータのサンプリングクロックとしては、ＰＣからの画像データが基準クロックに基づいて出力されることから、この基準クロックと同一周波数で、且つ基準クロックに対して適切な位相差をもったものが必要となる。ＰＣによっては出力画像の垂直走査線の数が相違するものが有るために、上記クロックの位相検出を行おうとする画面上の垂直方向の位置について調整を必要とするという問題があった。【解決手段】入力信号中の水平及び垂直同期のカウントに基づいて、垂直ゲート信号を発生させ、このゲート信号に基づきＡ／Ｄコンバータ４乃至６におけるクロック位相を検出し、位相調整を行うようにした。【選択図】  図１
2005017833.tif 000002
【特許請求の範囲】
【請求項１】
アナログ入力ＲＧＢ信号を任意の位相でサンプリング可能なＡ／Ｄコンバータと、前記入力ＲＧＢ信号に関連する水平同期信号及び垂直同期信号に基づいて、画面上の垂直方向の特定位置に対応したゲート信号を発生する手段と、このゲート信号発生手段からのゲート信号の期間に前記Ａ／Ｄコンバータにおけるサンプリング位相を検出する手段と、この位相検出手段の検出出力に基づいて前記Ａ／Ｄコンバータにおけるサンプリング位相を調整する手段とを具備したことを特徴とする画像表示装置。
【請求項２】
請求項１記載の画像表示装置において、前記ゲート信号発生手段は、入力ＲＧＢ信号にかかる水平ライン数を検出する手段と、この検出手段で検出されたライン数に基づき垂直ゲート信号を発生させる開始位置及び終了位置を設定する手段と、この設定手段で設定された開始位置及び終了位置に基づいて垂直ゲート信号を発生する手段とを具備したことを特徴とする画像表示装置。
【請求項３】
請求項１乃至２記載の画像表示装置において、前記アナログ入力ＲＧＢ信号はパーソナルコンピュータからの信号であり、前記ゲート信号発生手段は前記パーソナルコンピュータの画面のタスクバーに相当する位置でゲート信号を発生させるよう構成されたことを特徴とする画像表示装置。
【請求項４】
請求項１乃至２記載の画像表示装置において、前記位相検出手段は画素間の差分を積分し、その積分値を算出することでサンプリング位相を検出するものであることを特徴とする画像表示装置。
【請求項５】
アナログ入力ＲＧＢ信号を任意の位相でサンプリング可能なＡ／Ｄコンバータと、前記入力ＲＧＢ信号に関連する垂直同期信号に基づいて第１の同期パルスを出力する第１のパルス生成回路と、同じく前記ＲＧＢ信号に関連する水平同期信号に基づき第２の同期パルスを出力する第２のパルス生成回路と、この第２のパルス生成回路からのパルスをカウントすると共に前記第１のパルス生成回路からのパルスによりそのカウント値がリセットされるカウンタと、このカウンタのリセット直前のカウント値を保持するカウント値保持回路と、このカウント値保持回路のカウント値に基づき第１、第２のカウント値を生成するカウント値生成回路と、前記カウンタのカウント値と前記カウント値生成回路の第１、第２のカウント値とを比較し、比較結果に応じて前記Ａ／Ｄコンバータのサンプリング位相を検出するためのゲートパルスを生成するゲートパルス生成回路と、このゲートパルス生成回路からのゲートパルス出力に基づき前記Ａ／Ｄコンバータのサンプリング位相を検出するサンプリング位相検出回路と、このサンプリング位相検出回路の検出出力に基づき前記Ａ／Ｄコンバータのサンプリング位相を制御する制御回路とを具備したことを特徴とする画像表示装置。
【請求項６】
アナログ入力ＲＧＢ信号を任意の位相でサンプリングしてデジタルＲＧＢ信号に変換するステップと、前記入力ＲＧＢ信号に関連する水平同期信号及び垂直同期信号に基づいて、画面上の垂直方向の特定位置に対応したゲート信号を発生するステップと、このゲート信号発生ステップで発生したゲート信号の期間に前記Ａ／Ｄコンバータにおけるサンプリング位相を検出する手段と、この位相検出手段の検出出力に基づいて前記変換ステップでのサンプリング位相を制御するステップとを具備したことを特徴とする画像表示方法。
【請求項７】
外部機器からのアナログＲＧＢ信号を任意の位相でサンプリングしてデジタルＲＧＢ信号に変換するステップと、前記外部機器からの垂直同期信号に基づいて第１の同期パルスを出力するステップと、前記外部機器からの水平同期信号に基づき第２の同期パルスを出力するステップと、この第２の同期パルスをカウントするステップと、このカウントステップでのカウント値を第１のパルスによりリセットするステップと、このリセットステップでのリセット直前のカウント値を保持するステップと、この保持されたカウント値に基づき第１、第２のカウント値を生成するステップと、前記カウントステップでのカウント値と前記第１、第２のカウント値とを比較し、比較結果に応じて前記変換ステップでのサンプリング位相を検出するための垂直ゲートパルスを生成するステップと、このゲートパルス生成ステップでの垂直ゲートパルスに基づき前記変換ステップでのサンプリング位相を検出するステップと、このサンプリング位相検出ステップでの検出出力に基づき前記変換ステップでのサンプリング位相を制御するステップとを具備したことを特徴とする画像表示方法。
【発明の詳細な説明】
【０００１】
【発明の属する技術分野】
本発明は、画像表示装置及び画像表示方法に関し、特にパーソナルコンピュータ（以下、ＰＣという）等の映像信号出力装置からのアナログ映像信号をデジタル映像信号に変換して出力する画像表示装置及び画像表示方法に関する。
【０００２】
【従来の技術】
液晶表示装置等のデジタル型の画像表示装置でアナログ入力の映像信号を表示する場合、アナログ／デジタル変換器（以下Ａ／Ｄコンバータという）でアナログ入力映像信号をデジタル映像信号に変換する処理が行われる。このとき入力映像信号がアナログテレビジョン信号であれば問題はないが、ＰＣからの出力信号のように元々デジタル的に生成されたものをアナログに変換している場合には、上記Ａ／Ｄコンバータのサンプリングクロックには注意を払う必要がある。すなわち、ＰＣからの画像データは基準クロックに基づいて出力されるため、この画像データをサンプリングして忠実に再生を行おうとする場合には、上記基準クロックと同一周波数で、且つ基準クロックに対して適切な位相差をもったサンプリングクロックを生成することが必要となる。
【０００３】
特許文献１は上記説明した如きＡ／Ｄコンバータのサンプリングクロックの周波数調整と位相設定について検討を行ったものである。ところでＰＣによっては出力画像の垂直走査線の数が相違するものがあるために、上記クロックの位相検出を行おうとする画面上の垂直方向の位置について調整を必要とするという問題点を有していた。
【０００４】
【特許文献１】
特開２００１−３５６７２９号公報（第４頁乃至第５頁、図１乃至図６）
【０００５】
【発明が解決しようとする課題】
上述したように、ＰＣによっては出力画像の垂直走査線の数が相違するものがあるために、Ａ／Ｄコンバータのサンプリングクロックの位相検出を行おうとする場合、画面上の垂直方向の位置について調整を必要とするという問題点を有していた。
【０００６】
本発明は上記課題を解決するためになされたもので、上記位置調整が不要な画像表示装置及び画像表示方法を提供することを目的とする。
【０００７】
【課題を解決するための手段】
請求項１にかかる画像表示装置は、アナログ入力ＲＧＢ信号を任意の位相でサンプリング可能なＡ／Ｄコンバータと、前記入力ＲＧＢ信号に関連する水平同期信号及び垂直同期信号に基づいて、画面上の垂直方向の特定位置に対応したゲート信号を発生する手段と、このゲート信号発生手段からのゲート信号の期間に前記Ａ／Ｄコンバータにおけるサンプリング位相を検出する手段と、この位相検出手段の検出出力に基づいて前記Ａ／Ｄコンバータにおけるサンプリング位相を調整する手段とを具備したことを特徴とするものである。
【０００８】
請求項２にかかる画像表示装置は、請求項１記載の画像表示装置において、前記ゲート信号発生手段は、入力ＲＧＢ信号にかかる水平ライン数を検出する手段と、この検出手段で検出されたライン数に基づき垂直ゲート信号を発生させる開始位置及び終了位置を設定する手段と、この設定手段で設定された開始位置及び終了位置に基づいて垂直ゲート信号を発生する手段とを具備したことを特徴とするものである。
【０００９】
請求項３にかかる画像表示装置は、請求項１乃至２記載の画像表示装置において、前記アナログ入力ＲＧＢ信号はパーソナルコンピュータからの信号であり、前記ゲート信号発生手段は前記パーソナルコンピュータの画面のタスクバーに相当する位置でゲート信号を発生させるよう構成されたことを特徴とするものである。
【００１０】
請求項４にかかる画像表示装置は、請求項１乃至２記載の画像表示装置において、前記位相検出手段は画素間の差分を積分し、その積分値を算出することでサンプリング位相を検出するものであることを特徴とするものである。
【００１１】
請求項５にかかる画像表示装置は、アナログ入力ＲＧＢ信号を任意の位相でサンプリング可能なＡ／Ｄコンバータと、前記入力ＲＧＢ信号に関連する垂直同期信号に基づいて第１の同期パルスを出力する第１のパルス生成回路と、同じく前記ＲＧＢ信号に関連する水平同期信号に基づき第２の同期パルスを出力する第２のパルス生成回路と、この第２のパルス生成回路からのパルスをカウントすると共に前記第１のパルス生成回路からのパルスによりそのカウント値がリセットされるカウンタと、このカウンタのリセット直前のカウント値を保持するカウント値保持回路と、このカウント値保持回路のカウント値に基づき第１、第２のカウント値を生成するカウント値生成回路と、前記カウンタのカウント値と前記カウント値生成回路の第１、第２のカウント値とを比較し、比較結果に応じて前記Ａ／Ｄコンバータのサンプリング位相を検出するためのゲートパルスを生成するゲートパルス生成回路と、このゲートパルス生成回路からのゲートパルス出力に基づき前記Ａ／Ｄコンバータのサンプリング位相を検出するサンプリング位相検出回路と、このサンプリング位相検出回路の検出出力に基づき前記Ａ／Ｄコンバータのサンプリング位相を制御する制御回路とを具備したことを特徴とするものである。
【００１２】
請求項６にかかる画像表示方法は、アナログ入力ＲＧＢ信号を任意の位相でサンプリングしてデジタルＲＧＢ信号に変換するステップと、前記入力ＲＧＢ信号に関連する水平同期信号及び垂直同期信号に基づいて、画面上の垂直方向の特定位置に対応したゲート信号を発生するステップと、このゲート信号発生ステップで発生したゲート信号の期間に前記Ａ／Ｄコンバータにおけるサンプリング位相を検出する手段と、この位相検出手段の検出出力に基づいて前記変換ステップでのサンプリング位相を制御するステップとを具備したことを特徴とするものである。
【００１３】
請求項７にかかる画像表示方法は、外部機器からのアナログＲＧＢ信号を任意の位相でサンプリングしてデジタルＲＧＢ信号に変換するステップと、前記外部機器からの垂直同期信号に基づいて第１の同期パルスを出力するステップと、前記外部機器からの水平同期信号に基づき第２の同期パルスを出力するステップと、この第２の同期パルスをカウントするステップと、このカウントステップでのカウント値を第１のパルスによりリセットするステップと、このリセットステップでのリセット直前のカウント値を保持するステップと、この保持されたカウント値に基づき第１、第２のカウント値を生成するステップと、前記カウントステップでのカウント値と前記第１、第２のカウント値とを比較し、比較結果に応じて前記変換ステップでのサンプリング位相を検出するための垂直ゲートパルスを生成するステップと、このゲートパルス生成ステップでの垂直ゲートパルスに基づき前記変換ステップでのサンプリング位相を検出するステップと、このサンプリング位相検出ステップでの検出出力に基づき前記変換ステップでのサンプリング位相を制御するステップとを具備したことを特徴とするものである。
【００１４】
【発明の実施の形態】
以下、本発明になる画像表示装置及び画像表示方法の実施の形態について図面を用いて説明する。
【００１５】
図１は、本発明になる画像表示装置の一実施の形態を示すブロック図である。図１において、１乃至３は図示せぬＰＣからのアナログＲ、Ｇ、Ｂ信号がそれぞれ入力される入力端子、４乃至６は上記アナログＲ、Ｇ、Ｂ信号をそれぞれデジタル信号に変換するアナログデジタルコンバータ（以下、Ａ／Ｄコンバータという）である。７はＡ／Ｄコンバータ４乃至６のデジタル変換出力が入力され、Ａ／Ｄコンバータ４乃至６のサンプリングクロックの位相を検出するためのＡ／Ｄコンバータクロック位相検出回路である。８はクロック位相検出回路７を制御すると共に、Ａ／Ｄコンバータ４乃至６に対しサンプリングクロックを供給するマイクロコンピュータ（以下マイコンという）である。
【００１６】
１１及び１２は上記図示せぬＰＣからの垂直同期信号及び水平同期信号がそれぞれ入力される入力端子であり、１３及び１４は入力端子１１、１２にそれぞれ接続された微分回路である。微分回路１３及び１４の後段には垂直同期カウンタ１５が接続され、そのカウント端子１５ａは微分回路１４の出力端に接続され、同じくリセット端子１５ｂは微分回路１３の出力端に接続されている。垂直同期カウンタ１５の後段にはカウント値保持回路１６が接続されており、端子１６ａに微分回路１３の出力パルスが入力された際の垂直同期カウンタ１５のカウント値（カウンタ１５がリセットされる直前のカウント値）を保持する。
【００１７】
１７及び１８は、それぞれカウント値保持回路１６の後段に接続された開始アドレス発生回路及び終了アドレス発生回路である。詳細は後述するが、開始アドレス発生回路１７及び終了アドレス発生回路１８はマイコン８から供給される固定値ｎ及びｍ（ｎ及びｍは整数であり、且つｎ＞ｍの関係を満足する）をカウント値保持回路１６で保持されたカウント値（ＶＣとする）からそれぞれ減算した値を開始アドレス（＝ＶＣ−ｎ）及び終了アドレス（＝ＶＣ−ｍ）としてそれぞれ出力するものである。
【００１８】
さらに、１９、２０は比較回路であり、垂直同期カウンタ１５のカウント値出力と上記開始アドレス及び終了アドレスとをそれぞれ比較し、一致した場合にそれぞれパルスを出力するものである。２１は比較回路１９及び２０の後段に接続された垂直ゲート信号発生回路であり、この出力ゲートパルス信号はクロック位相検出回路７に供給されている。
【００１９】
次に上記装置の動作について詳細に説明する。図示せぬＰＣからのアナログＲ、Ｇ、Ｂ信号は、入力端子１乃至３をそれぞれ介してＡ／Ｄコンバータ４乃至６にそれぞれ入力されデジタル信号に変換される。なお、Ａ／Ｄコンバータ４乃至６でのサンプリング位相の制御にかかる初期設定値はマイコン８からシリアルバス９を介して各Ａ／Ｄコンバータ４乃至６に与えられる。Ａ／Ｄコンバータ４乃至６のデジタル変換出力は、Ａ／Ｄコンバータクロック位相検出回路７に入力されて、Ａ／Ｄコンバータ４乃至６のサンプリングクロックの位相が検出される。
【００２０】
クロック位相検出回路７では、画素間の差分を積分し、その積分値をバスライン９を介してマイコン８に供給する。マイコン８では、上記積分値に基づいてＡ／Ｄコンバータ４乃至６のサンプリングクロックの位相を変更する。そして再び、クロック位相検出回路７で画素間の差分が積分され、その積分値がマイコン８に供給されることになる。マイコン８は、上記過程で最大の積分値が得られた位相を最適位相と判断し、Ａ／Ｄコンバータ４乃至６のサンプリングクロックの位相を上記位相に再設定する。これにより、ＰＣから出力される映像信号に忠実な映像をＡ／Ｄコンバータ４乃至６から得ることが出来る。なお、クロック位相検出のために行われる画素間の差分の積分（及びこの積分の値が最大となる位相の探索）については、公知の技術であり、先の特許文献１においても記載されているので、その詳細は省略する。
【００２１】
ところで、ＰＣからの信号を取り込み表示するためになされる上記サンプリングクロックの位相調整には、なるべく入力信号として文字が存在する箇所が望ましい。従って、本実施の形態においては、ＰＣ画面のタスクバーに該当する個所の信号を取り込むようにしている。
【００２２】
すなわち、Ａ／Ｄコンバータ４乃至６のサンプリング位相を検出する場合、クロック位相が適切かどうかを検出することになるのであるが、この検出においては画素単位で信号レベル差が大きくなる箇所で検出しないと適切な結果が得られない。そのためＰＣ画面で言えば、文字が記載されているタスクバーの位置が検出箇所として最も有効である。また、Ａ／Ｄコンバータ４乃至６のクロック位相を順次変えてクロック位相が適切かどうかを検出するために、検出期間中はＡ／Ｄコンバータ４乃至６への入力信号は出来るだけ同じ信号であることが望ましい。絵柄期間であると入力信号が変動する可能性があるため、安定的な検出は困難である。その意味でも、文字が記載されているタスクバーの位置が検出箇所として最も有効である。
【００２３】
上記の場合、ＰＣの表示方式によって垂直ライン数が相違することが多々あり、信号取り込み位置（ＰＣ画面のタスクバーに該当する位置）で垂直ゲート信号を発生させるにしても、表示方式に合った垂直ゲート信号を発生させる必要があり、この垂直ゲート信号の発生位置の調整が必要となる。本実施の形態においては、上記垂直ゲート信号の発生位置の調整が自動的に行えるようにしている。
【００２４】
そこで、次に、本実施の形態における上記垂直ゲート信号の発生位置の調整について説明する。図示せぬＰＣからの垂直同期信号及び水平同期信号は、入力端子１１、１２を介して微分回路１３及び１４にそれぞれ入力される。微分回路１３及び１４の後段に接続された垂直同期カウンタ１５は、微分回路１４からの出力パルス（つまりは水平同期パルス）をカウントしていき、微分回路１４からの出力パルス（つまりは垂直同期パルス）でそのカウント値がリセットされる。垂直同期カウンタ１５の後段に接続されたカウント値保持回路１６は、端子１６ａに微分回路１３の出力パルスが入力された際に垂直同期カウンタ１５のカウント値（カウンタ１５がリセットされる直前のカウント値）を保持する。
【００２５】
以上から、カウント値保持回路１６のカウント値から、入力されているＰＣからの信号の水平ライン数が検出されたことになる。次に垂直ゲート信号を発生させるための開始位置（開始ライン）、及び終了位置（終了ライン）を決定する必要があるが、以下その動作を説明する。
【００２６】
開始アドレス発生回路１７及び終了アドレス発生回路１８はマイコン８から供給される固定値ｎ及びｍ（ｎ及びｍは整数であり、且つｎ＞ｍの関係を満足する）をカウント値保持回路１６で保持されたカウント値（ＶＣとする）からそれぞれ減算した値を開始アドレス（＝ＶＣ−ｎ）及び終了アドレス（＝ＶＣ−ｍ）としてそれぞれ出力する。なお、本実施の形態においては、ｎ及びｍの推奨値として、ｎ＝３２、ｍ＝１を用いている。
【００２７】
比較回路１９、２０は、開始アドレス発生回路１７及び終了アドレス発生回路１８の開始アドレス及び終了アドレスと垂直同期カウンタ１５のカウント値出力とをそれぞれ比較し、カウント値出力と一致した場合に、それぞれパルスを出力する。比較回路１９及び２０の後段に接続された垂直ゲート信号発生回路２１は、比較回路１９からのパルスに基づいて垂直ゲート信号を発生（開始）し、比較回路２０からのパルスに基づいて垂直ゲート信号を終了させる。垂直ゲート信号発生回路２１からの垂直ゲート信号は、出力ゲートパルス信号としてクロック位相検出回路７に供給される。上述したように、クロック位相検出回路７は、出力ゲートパルス信号の期間中にＡ／Ｄコンバータ４乃至６のサンプリングクロックの位相を検出することになる。
【００２８】
本実施の形態によれば、Ａ／Ｄコンバータのサンプリングクロックの位相検出を行おうとする場合、画面上の垂直方向の位置について位置調整が不要となる。
【００２９】
【発明の効果】
以上説明したように、この発明によれば、Ａ／Ｄコンバータのサンプリングクロックの位相検出を行おうとする場合、画面上の垂直方向の位置について位置調整が不要な画像表示装置及び画像表示方法を提供することが出来る。
【図面の簡単な説明】
【図１】本発明になる画像表示装置の実施の形態の一例を示すブロック図。
【符号の説明】
１乃至３：  入力端子
４乃至６：  Ａ／Ｄコンバータ
７：  Ａ／Ｄコンバータクロック位相検出回路
８：  マイクロコンピュータ
１１、１２：  入力端子
１３、１４：  微分回路
１５：  垂直同期カウンタ
１６：  カウント値保持回路
１７；  開始アドレス発生回路
１８：  終了アドレス発生回路
１９、２０：  比較回路
２１：  垂直ゲート信号発生回路
【図１】
2005017833.tif 000003